(57)【要約】【課題】扉や蓋、パネルの着脱が容易な蝶番構造を提供する。【解決手段】扉の蝶番構造は、扉と、該扉を回動自在かつ着脱自在に固定する取付け対象体とからなり、前記扉の回動中心側の端面に、回動中心線に沿って固定された少なくとも１個の磁石または強磁性体と、該磁石または強磁性体を吸引するように回動中心線に沿って前記取付け対象体に固定された磁石とからなる。【選択図】図１
2012057292.tif 000002
【特許請求の範囲】
【請求項１】
扉と、該扉を回動自在かつ着脱自在に固定する取付け対象体とからなり、
前記扉の回動中心側の端面に、回動中心線に沿って固定された少なくとも１個の磁石または強磁性体と、該磁石または強磁性体を吸引するように回動中心線に沿って前記取付け対象体に固定された磁石とからなることを特徴とする扉の蝶番構造。
【請求項２】
扉と、該扉を回動自在かつ着脱自在に固定する取付け対象体とからなり、
前記扉の回動中心側の端面に、回動中心線に沿って固定された少なくとも１個の磁石と、該磁石に吸引されるように回動中心線に沿って前記取付け対象体に固定された少なくとも１個の磁石または強磁性体とからなることを特徴とする扉の蝶番構造。
【請求項３】
互いに回動自在かつ着脱自在に固定された第１パネルと第２パネルとからなり、
前記第１パネルの前記第２パネル側端面に、回動中心線に沿って固定された少なくとも１個の磁石または強磁性体と、該磁石または強磁性体を吸引するように回動中心線に沿って前記第２パネルの前記第１パネル側端面に固定された磁石とからなることを特徴とするパネルの蝶番構造。
【発明の詳細な説明】
【技術分野】
【０００１】
本発明は着脱自在に構成された蝶番構造に関し、より詳しくは、建造物や家具、置物などに取り付けられた回動自在に開閉する扉の蝶番構造や開閉蓋を有する収納家具や箱における蓋の蝶番構造、屏風、衝立、パーティション、開閉式写真立てなどのパネルの蝶番構造に関する。
【背景技術】
【０００２】
回動自在に開閉する扉は建造物や家具、置物などに広く用いられており、そのような扉の開閉構造の多くは、軸部材と軸受けによるものや蝶番などである。特許文献１の扉開閉構造もその基本構成は、扉の回動中心の扉側と扉の取付け対象である本体側とに軸受けを設け、両方の軸受けに軸部材を回動自在に係合したものである。しかし、これら従来の扉開閉構造は扉の着脱を想定していないため、扉を本体から外そうとすれば、軸部材と軸受けの凹凸が障害となって着脱が容易でない。
【先行技術文献】
【特許文献】
【０００３】
【特許文献１】実用新案登録第３１６００３５号公報
【発明の概要】
【発明が解決しようとする課題】
【０００４】
本発明は、上記従来の問題に鑑みてなされたものであり、扉や蓋、パネルの着脱が容易な蝶番構造を提供することを目的とする。
【課題を解決するための手段】
【０００５】
本発明の扉の蝶番構造は、扉と、該扉を回動自在かつ着脱自在に固定する取付け対象体とからなり、前記扉の回動中心側の端面に、回動中心線に沿って固定された少なくとも１個の磁石または強磁性体と、該磁石または強磁性体を吸引するように回動中心線に沿って前記取付け対象体に固定された磁石とからなることを特徴としている。
【０００６】
本発明の扉の蝶番構造は、扉と、該扉を回動自在かつ着脱自在に固定する取付け対象体とからなり、前記扉の回動中心側の端面に、回動中心線に沿って固定された少なくとも１個の磁石と、該磁石に吸引されるように回動中心線に沿って前記取付け対象体に固定された少なくとも１個の磁石または強磁性体とからなることを特徴としている。
【０００７】
本発明のパネルの蝶番構造は、互いに回動自在かつ着脱自在に固定された第１パネルと第２パネルとからなり、前記第１パネルの前記第２パネル側端面に、回動中心線に沿って固定された少なくとも１個の磁石または強磁性体と、該磁石または強磁性体を吸引するように回動中心線に沿って前記第２パネルの前記第１パネル側端面に固定された磁石とからなることを特徴としている。
【発明の効果】
【０００８】
本発明の扉およびパネルの蝶番構造によれば、扉やパネルは磁石の吸引力で取付け対象体に回動自在に固定されるため、磁石の吸引力に抗して扉またはパネルを取り外すことができ、着脱が容易である。これによって、組立て作業や解体作業がしやすく、購入者自身が室内デザインや好みに応じて異なる意匠を有する扉またはパネルに容易に交換することができる。また、扉またはパネルを異なる意匠のものに交換することができるため、意匠ごとに扉またはパネルを製造する必要がなく、製造販売業者は在庫点数を減らすことができ、在庫管理が容易となり、コストも低減できる。さらに、扉またはパネルを交換するだけで多様な意匠を取り入れることができるので、意匠の選択肢を大幅に増やすことができる。さらに、扉またはパネルが破損してもその交換が容易であるため、修復の際のコスト負担を軽減できる。
【図面の簡単な説明】
【０００９】
【図１】本発明の第１の実施の形態による家具の概略斜視図である。
【図２】図１の家具に備えられた扉の蝶番構造のＸ−Ｘラインにおける概略断面図である。
【図３】図１の家具に備えられた扉の蝶番構造の概略横断面図である。
【図４】本発明の第２の実施の形態による家具の概略斜視図である。
【図５】図４の家具に備えられた扉の蝶番構造のＹ−Ｙラインにおける概略断面図である。
【図６】本発明の第３の実施の形態による家具に備えられた扉の蝶番構造の概略断面図であって、図２に対応する図である。
【図７】本発明の第４の実施の形態による家具に備えられた扉の蝶番構造の概略横断面図であって、図３に対応する図である。
【発明を実施するための形態】
【００１０】
本発明の実施の形態による扉の蝶番構造について、添付図面に沿って詳細に説明する。
【００１１】
図１は、本発明の第１の実施の形態による家具の概略斜視図であり、図２は、図１の家具に備えられた扉の蝶番構造のＸ−Ｘラインにおける概略断面図であり、図３は、図１の家具に備えられた扉の蝶番構造の概略横断面図である。
【００１２】
図１に示されるように、家具１は、天板５と地板６を有し、三方の側面が覆われ、前面のほぼ全面が開口した箱形状を有する木製の構造体である。家具１の前面の両側には、開口を観音開き式に開閉する左右１対の扉１ａ，１ｂが取り付けられている。２枚の扉１ａ，１ｂは木製の長方形板状体である。扉１ａ，１ｂの一端は、家具１の前面の開口端にて回動自在に固定されている。
【００１３】
図２および３に示されるように、扉１ａの固定端には、その高さ方向の中央にコ字状の凸部が形成されており、凸部には円柱形状の軸部材１０ａ，１０ｂがそれぞれ凸部の上面と下面から突出するように埋込み固定されている。この軸部材１０ａ，１０ｂの中心Ｃが扉１ａの回動中心となる。また、凸部の家具１の側壁７と接する端面には、扉１ａの回動中心線に沿って伸びるように円柱形状の磁石１５が複数個連続して固定されている。この磁石１５は円柱形状の半円が露出するように凸部に固定されているため、凸部は、図３に示されるように水平断面からみて端部が半円形状になっている。これによって、扉１ａは、側壁７と接しながら軸部材１０ａ，１０ｂを回動中心として回動することができる。
【００１４】
家具１の側壁７の開口端面には、その高さ方向の中央に扉１ａの凸部に対応する形状を有するコ字状の凹部が形成されており、この凹部に扉１ａの凸部は係合する。凹部の上面と下面には、軸部材１０ａ，１０ｂが進入可能な軸受溝１８ａ，１８ｂが側壁７の開口端面に達するように形成されている。これによって、軸部材１０ａ，１０ｂが軸受溝１８ａ，１８ｂに摺動して進入し、扉１ａが家具１の側壁７に接した状態で回動することができる。凹部の凸部と接する端面には、磁石１５と扉１ａの回動中心線に沿って接するように角柱形状の磁石１６が複数個連続して側壁７の開口端に露出して固定されている。これによって、扉１ａは、家具１の側壁７に着脱自在に固定される。なお、磁石１５，１６の固定は嵌合やピン、ネジ、接着剤によって行う。
【００１５】
本実施の形態で用いる磁石１５，１６の種類は特に限定されるものではないが、取扱いが容易なフェライト磁石やネオジム磁石などの永久磁石を用いることが好ましい。また、磁石１６の形状も角柱形状に限定されるものではなく、磁石１５と接する側面が平滑面であれば良い。磁石１５，１６の接触面が平滑面であることにより接触による摩擦抵抗が低減される。なお、扉１ｂについても扉１ａと基本的に同じ構成を有するため、説明は繰り返さない。
【００１６】
図４は、本発明の第２の実施の形態による家具の概略斜視図であり、図５は、図４の家具に備えられた扉の蝶番構造のＹ−Ｙラインにおける概略断面図である。本実施の形態による扉の蝶番構造の構成は先に説明した第１の実施の形態によるものと基本的に同じなので、相違点を中心に説明する。
【００１７】
図４および５に示されるように、第２の実施の形態による扉の蝶番構造は、扉１ａ，１ｂの一端が、家具１の前面の開口端より前方で上下が天板５および地板６に回動自在かつ着脱自在に固定されている点、扉１ａの固定端の上下２箇所で複数個の磁石１５ａ，１５ｂが固定されており、磁石１５ａ，１５ｂに接するように複数個の磁石１６ａ，１６ｂが側壁７に固定されている点、および天板５の下面および地板６の上面に軸部材１０ａ，１０ｂが進入可能な軸受溝１８ａ，１８ｂが形成されている点が第１の実施の形態によるものと異なる。この構成によっても、扉１ａは磁石１５ａ，１５ｂ，１６ａ，１６ｂの吸引力で取付け対象体である側壁７に回動自在かつ着脱自在に固定されるため、磁石１５ａ，１５ｂ，１６ａ，１６ｂの吸引力に抗して扉１ａを取り外すことができる。
【００１８】
図６は、本発明の第３の実施の形態による家具に備えられた扉の蝶番構造の概略断面図であって、図２に対応する図である。本実施の形態による扉の蝶番構造の構成は先に説明した第１の実施の形態によるものと基本的に同じなので、相違点を中心に説明する。
【００１９】
図６に示されるように、第３の実施の形態による扉の蝶番構造は、軸部材および軸受溝がない点が第１の実施の形態によるものと異なる。このように、軸部材や軸受溝がなくても、扉１ａは磁石１５，１６の吸引力で取付け対象体である側壁７に回動自在かつ着脱自在に固定されるため、扉１ａを開閉することができ、かつ磁石１５，１６の吸引力に抗して扉１ａを取り外すことができる。
【００２０】
図７は、本発明の第４の実施の形態による家具に備えられた扉の蝶番構造の概略横断面図であって、図３に対応する図である。本実施の形態による扉の蝶番構造の構成は先に説明した第１の実施の形態によるものと基本的に同じなので、相違点を中心に説明する。
【００２１】
図７に示されるように、第４の実施の形態による扉の蝶番構造は、取付け対象体である家具１の側壁７に固定された磁石１６が円柱形状である点が第１の実施の形態によるものと異なる。この構成では、扉１ａは磁石１６の断面円形状の中心Ｃ２および扉１ａの磁石１５の断面円形状の中心Ｃ１の２点を回動中心として回動する。これによっても、扉１ａは磁石１５，１６の吸引力で取付け対象体である側壁７に回動自在かつ着脱自在に固定されるため、扉１ａを開閉することができ、かつ磁石１５，１６の吸引力に抗して扉１ａを取り外すことができる。
【００２２】
なお、上記実施の形態では扉の取付け対象体は家具であったが、これに限定されるものではなく、建物、電子機器などに幅広く適用することができる。また、本発明の蝶番構造を、屏風、衝立、パーティション、開閉式写真立てなどのパネルの蝶番構造や開閉蓋付き箱の蓋の蝶番構造に適用することもできる。本発明の扉の蝶番構造はそれ自体が蝶番の役割を果たすものである。
【００２３】
また、開閉式扉やパネル、蓋は、左右１対のものに限定されるものではなく、上下開閉式にも適用することができる。扉やパネル、蓋の枚数も１枚に限定されるものではなく、３枚以上とすることができる。開閉についても部分的な開閉や半開き状態も含む。扉やパネル、蓋は木製に限定されず、非磁性体材料からなるものであれば良く、合成樹脂製やアルミニウム製にすることができる。
【００２４】
さらに、上記実施の形態では、扉側および取付け対象体側の両方に磁石が用いられていたが、これに限定されるものではなく、扉側および取付け対象体側のいずれか一方に磁石が用いられていれば良く、その場合、他方は鉄などの強磁性体とすることができる。また、磁石は扉の回動中心に沿って固定されていれば良く、その個数は１個であっても良く、２個以上であっても良い。磁石が複数個からなる場合、連続して配置されていても良く、断続して配置されていても良い。
【００２５】
さらに、上記実施の形態では、磁石の側面に平滑面が形成されていたが、この平滑面は研磨材を用いて研磨することによって形成したものであっても良い。また、扉側の磁石と取付け対象体側の磁石の接触による摩擦抵抗を軽減するため、磁石の側面には滑材が設けられていることが好ましい。滑材としては、ニッケルなどの鍍金、テフロン（登録商標）コーティングなどの合成樹脂からなる塗膜、ジュラコン（登録商標）などの硬質の合成樹脂やゴムからなるシート部材、木製の板状体、合成樹脂がコーティングされた紙、潤滑油などがあげられる。これら滑材の厚さは、磁石の吸引力を大幅に低下しない程度にできるだけ薄い方が良く、好ましくは２ｍｍ以下である。シート部材や木製の板状体、コーティングされた紙は接着剤によって磁石に固定することができる。したがって、本発明における「接する」とは、直接的な接触に限定されるものではなく、上記部材が介在して接することを含む。
【符号の説明】
【００２６】
１  家具
１ａ，１ｂ  扉
５  天板
６  地板
７  側壁
１０ａ，１０ｂ  軸部材
１５，１５ａ，１５ｂ  磁石
１６，１６ａ，１６ｂ  磁石
１８ａ，１８ｂ  軸受溝
Ｃ，Ｃ１，Ｃ２  回動中心
【図１】
2012057292.tif 000003
【図２】
2012057292.tif 000004
【図３】
2012057292.tif 000005
【図４】
2012057292.tif 000006
【図５】
2012057292.tif 000007
【図６】
2012057292.tif 000008
【図７】
2012057292.tif 000009